(57)【特許請求の範囲】
【請求項１】
ゴム材により形成されて内視鏡の処置具挿通チャンネルの入口の表面部分に着脱自在に取り付けられた蓋体に閉鎖膜が形成され、上記処置具挿通チャンネルに挿脱される処置具によって押し広げられる通路が上記閉鎖膜に形成された内視鏡の鉗子栓において、
上記通路に対して真っ直ぐに連通する剛性材料からなる案内筒が上記蓋体の外面側に突設され、
上記案内筒は、その基端部側に突設された鍔部分が上記蓋体内にインサートされることにより、上記蓋体に対して傾かないように上記蓋体と一体に形成されていることを特徴とする内視鏡の鉗子栓。
【請求項２】
上記蓋体が、上記処置具挿通チャンネルの入口部分に配置された弾力性のある受け部材に対して弾力的に着脱自在である請求項１記載の内視鏡の鉗子栓。
【請求項３】
上記通路が、通常は自己の弾力性によって閉じた状態を維持し、上記処置具挿通チャンネルに挿脱される処置具によって押し広げられるスリットである請求項１又は２のいずれかの項に記載の内視鏡の鉗子栓。
【請求項４】
上記通路が小孔であり、通常は自己の弾力性によって閉じた状態を維持し上記処置具挿通チャンネルに挿脱される処置具によって押し広げられるスリットが上記受け部材に形成されている請求項２記載の内視鏡の鉗子栓。
【発明の詳細な説明】
【０００１】
【発明の属する技術分野】
この発明は、内視鏡の処置具挿通チャンネルの入口部分に配置される内視鏡の鉗子栓に関する。
【０００２】
【従来の技術】
内視鏡の鉗子栓は、処置具挿通チャンネルを介して体内汚液等が噴出しないように処置具挿通チャンネルの入口部分の栓をし、しかも処置具挿通チャンネルに処置具を挿脱する際には栓を開閉する特別な操作を必要としないものでなければならない。
【０００３】
また、鉗子栓は消耗品なので容易に交換できることが望ましい。そこで、内視鏡の処置具挿通チャンネルの入口の表面部分に着脱自在な弾力性のあるゴム材料からなる蓋体に閉鎖膜を形成し、通常は自己の弾力性によって閉じた状態を維持し、処置具挿通チャンネルに挿脱される処置具によって押し広げられるスリットを閉鎖膜に形成した構成をとるものがある。
【０００４】
【発明が解決しようとする課題】
しかし、そのような鉗子栓は、閉鎖膜にスリットが形成された弾力性のある蓋体が処置具挿通チャンネルの入口の表面部分に取り付けられただけの構成なので、挿入される処置具の方向性が規制されない。
【０００５】
そのため、処置具が斜め向きに差し込まれて閉鎖膜に無理な力が加わり、閉鎖膜やスリットが変形、損傷して、鉗子栓の密閉性が低下してしまう場合がある。また、鉗子栓の入口から外側に処置具の手元側シャフトが垂れ下がる状態になっているときにも、同様の不具合が発生する場合がある。
【０００６】
そこで本発明は、処置具によって押し広げられる通路が形成された弾力性のある蓋体が内視鏡の処置具挿通チャンネルの入口の表面部分に着脱自在に取り付けられた鉗子栓において、処置具が真っ直ぐに差し込まれるようにして、処置具使用による消耗の程度が緩和された内視鏡の鉗子栓を提供することを目的とする。
【０００７】
【課題を解決するための手段】
上記の目的を達成するため、本発明の内視鏡の鉗子栓は、弾力性のある部材により形成されて内視鏡の処置具挿通チャンネルの入口の表面部分に着脱自在に取り付けられた蓋体に閉鎖膜が形成され、処置具挿通チャンネルに挿脱される処置具によって押し広げられる通路が閉鎖膜に形成された内視鏡の鉗子栓において、通路に対して真っ直ぐに連通する剛性材料からなる案内筒を、蓋体に対して傾かないように蓋体の外面側に突設したものである。
【０００８】
なお、蓋体がゴム材によって形成されていて、案内筒が蓋体と一体に形成されていてもよく、その場合に、案内筒の基端部側に鍔が突設されていて、その鍔部分が蓋体内にインサートされていてもよい。
【０００９】
また、蓋体が、処置具挿通チャンネルの入口部分に配置された弾力性のある受け部材に対して弾力的に着脱自在であってもよく、通路が、通常は自己の弾力性によって閉じた状態を維持し、処置具挿通チャンネルに挿脱される処置具によって押し広げられるスリットであってもよい。
【００１０】
また、通路が小孔であり、通常は自己の弾力性によって閉じた状態を維持し処置具挿通チャンネルに挿脱される処置具によって押し広げられるスリットが受け部材に形成されていてもよい。
【００１１】
【発明の実施の形態】
図面を参照して本発明の実施例を説明する。
図７は内視鏡を示しており、可撓管によって外装された挿入部１の基端が操作部２の下端に連結されている。
【００１２】
挿入部１内に挿通配置された処置具挿通チャンネル３の先端は挿入部１の先端において外部に開口し、処置具挿通チャンネル３の入口部分に取り付けられた鉗子栓１０が、操作部２の下端付近に配置されている。
【００１３】
図１と図２は鉗子栓１０の正面断面図と側面断面図であり、鉗子栓１０は、操作部２から突出して処置具挿通チャンネル３の入口端部に設けられた入口口金３０に対して着脱自在に取り付けられている。
【００１４】
鉗子栓１０は、各々が弾力性のあるゴム材によって形成された樽状部材１１（受け部材）と蓋状部材１２とを、直列に配置して構成されており、樽状部材１１と蓋状部材１２は、入口口金３０の外周面に形成された第１と第２の円周溝３２，３３に着脱自在に嵌め込まれて取り付けられている。
【００１５】
樽状部材１１は、その内周面に突設された弾性突起１３が入口口金３０の口元近傍に形成された第１の円周溝３２に嵌め込まれており、弾性突起１３の周辺を弾性変形させることにより、第１の円周溝３２に係脱させることができる。
【００１６】
樽状部材１１には、中心にスリット１５が形成された閉鎖膜１４が、入口口金３０の開口端に対向する位置に形成されている。スリット１５は、通常は自己の弾力性によって閉じた状態を維持しており、処置具が通されるとそれによって押し広げられる。また、スリット１５より手前側には、注射筒の先端を受けるためのパッキン部１６が環状に内方に突出して形成されている。
【００１７】
蓋状部材１２は、入口口金３０の基部に形成された第２の円周溝３３に弾力的に着脱自在に取り付けられた環状部２１に、柔軟な連結バンド部２２を介して蓋部２３（蓋体）が連結されて構成されている。
【００１８】
蓋部２３は、樽状部材１１の開口部に外方から着脱自在に嵌め込まれ、蓋部２３の嵌め込まれる部分の先端に突設された鍔部２４が、樽状部材１１の開口部の内周に形成された円周溝１７に係脱自在である。
【００１９】
そして、蓋部２３側を弾力的に変形させて鍔部２４を円周溝１７に係合させることにより、蓋部２３が樽状部材１１の開口部に係止された状態になり、鍔部２４を弾性変形させて円周溝１７から外すことにより蓋部２３が樽状部材１１の開口部から外れる。
【００２０】
蓋部２３の底部分は閉鎖膜２６になっていて、その中央であって処置具挿通チャンネル３の入口に真っ直ぐに通じる位置に小孔２７が形成されている。小孔２７は、処置具が通されるとそれによって弾力的に押し広げられる。
【００２１】
このように形成された蓋部２３の外表面側には、差し込まれる処置具を案内するための案内筒２９が、金属又は硬質プラスチック等の剛性材料によって円筒状に形成されて突設されている。案内筒２９の内径寸法は、使用対象とする処置具の最大径より僅かに太い程度の寸法に設定されている。
【００２２】
案内筒２９には、蓋部２３の外表面に密着する大鍔部２９ａが軸線と垂直方向に突設され、さらに、軸線と垂直方向に基端部に突設された小鍔部２９ｂが蓋部２３内にインサートされて蓋部２３と一体的に形成されている。
【００２３】
このようにして、案内筒２９は蓋部２３の外表面から垂直に突出していて、それ以外の方向には傾かず、小孔２７、スリット１５及び入口口金３０の中心が、案内筒２９の軸線のほぼ延長線上に位置している。
【００２４】
図３は、上述のように構成された鉗子栓１０から処置具挿通チャンネル３に処置具１００が挿通されている状態を示しており、小孔２７とスリット１５が処置具１００のシャフトによって弾力的に押し広げられ、処置具挿通チャンネル３内からの圧力漏れが発生しない状態で処置具１００が処置具挿通チャンネル３に通される。
【００２５】
そして、案内筒２９が蓋部２３の外表面から垂直に真っ直ぐに突設されているので、案内筒２９を通過した処置具１００は、案内筒２９の軸線の延長線方向にある小孔２７、スリット１５へと案内されてそれらを通過する。
【００２６】
したがって、閉鎖膜２６，１４及び小孔２７、スリット１５等を変形、損傷させることなく処置具１００を差し込むことができる。また、鉗子栓１０の入口から外側に処置具１００のシャフトが垂れ下がった状態でも、その曲げ荷重が案内筒２９より奥側にはほとんど伝わらないので、閉鎖膜２６，１４や小孔２７、スリット１５の変形、損傷が発生しない。
【００２７】
なお、図４に示されるように、樽状部材１１から蓋部２３を取り外して、樽状部材１１に注射筒２００を差し込むことにより、スリット１５が弾力的に押し広げられると共に注射筒２００の先端がパッキン部１６に嵌め込まれ、注射筒２００から処置具挿通チャンネル３内へ薬液等を漏れなく注入することができる。
【００２８】
図５は、本発明の第２の実施例の鉗子栓１０を示しており、蓋部２３に設けられた閉鎖膜２６にスリット１５（通路）が形成され、樽状部材１１に設けられた閉鎖膜１４に小孔２７が形成された鉗子栓１０に本発明を適用したものであり、案内筒２９が蓋部２３の外表面から垂直に突出して設けられている。
【００２９】
この実施例の構成のうち、スリット１５、小孔２７以外の部分は前述の第１の実施例と同じであり、第１の実施例と同様の作用効果が得られる。図６は、その樽状部材１１に注射筒２００が取り付けられた状態を示している。
【００３０】
【発明の効果】
本発明によれば、弾力性のある部材により形成された蓋体に閉鎖膜が形成され、その閉鎖膜に、処置具挿通チャンネルに挿脱される処置具によって押し広げられる通路が形成された内視鏡の鉗子栓において、通路に対して真っ直ぐに連通する剛性材料からなる案内筒を、蓋体に対して傾かないように蓋体の外面側に突設したことにより、処置具が通路に向かって真っ直ぐに差し込まれるので、処置具使用により閉鎖膜等が変形、損傷せず、鉗子栓の消耗が大幅に緩和される。
【図面の簡単な説明】
【図１】本発明の第１の実施例の内視鏡の鉗子栓の正面断面図である。
【図２】本発明の第１の実施例の内視鏡の鉗子栓の側面断面図である。
【図３】本発明の第１の実施例の内視鏡の鉗子栓に処置具が挿通された状態の正面断面図である。
【図４】本発明の第１の実施例の内視鏡の鉗子栓に注射筒が接続された状態の正面断面図である。
【図５】本発明の第２の実施例の内視鏡の鉗子栓の正面断面図である。
【図６】本発明の第２の実施例の内視鏡の鉗子栓に注射筒が接続された状態の正面断面図である。
【図７】内視鏡の全体構成を示す側面図である。
【符号の説明】
３  処置具挿通チャンネル
１０  鉗子栓
１２  蓋状部材
１５  スリット
２３  蓋部（蓋体）
２６  閉鎖膜
２７  小孔
２９  案内筒
２９ａ  大鍔部
２９ｂ  小鍔部
１００  処置具
２００  注射筒
【図１】
0004475719.tif 000002
【図２】
0004475719.tif 000003
【図３】
0004475719.tif 000004
【図４】
0004475719.tif 000005
【図５】
0004475719.tif 000006
【図６】
0004475719.tif 000007
【図７】
0004475719.tif 000008